(57)【特許請求の範囲】
【請求項１】
上面に凹部が形成され、透光性を有する下側導光体と、
前記凹部に配置され、上方向に光を均一に照射する平板状の光源と、
前記下側導光体の上面に前記光源を挟み込むように設けられ、前記光源の上面との間に間隔を設けて前記光源と対向する平坦な底面を有し、かつ、透光性を有する上側導光体と、を備えたことを特徴とする発光装置。
【請求項２】
前記下側導光体の上面よりも下方に前記光源を配置したことを特徴とする請求項１に記載の発光装置。
【請求項３】
前記光源が発光表面にガラスまたは透光性硬質樹脂を用いた有機ＥＬ光源であることを特徴とする請求項１または請求項２に記載の発光装置。
【請求項４】
前記下側導光体の上面の幅と前記上側導光体の底面の幅が略同一であることを特徴とする請求項１〜３のいずれかに記載の発光装置。
【請求項５】
前記上側導光体の底面が鏡面状であることを特徴とする請求項１〜４のいずれかに記載の発光装置。
【請求項６】
前記下側導光体の接触面の短辺側の一端を、光源配置面と同平面としたことを特徴とする請求項１〜５のいずれかに記載の発光装置。
【請求項７】
前記上側導光体および前記下側導光体の正面および背面が平坦な形状からなり、前記上側導光体および前記下側導光体の側面に微小の凹凸を設けたことを特徴とする請求項1〜６のいずれかに記載の発光装置。
【請求項８】
前記上側導光体の底面と光源透光性を有し、前記光源の表面材料よりも大きい屈折率を有する凸部を前記上側導光体の底面と前記光源との間隔に備えたことを特徴とする請求項１〜７のいずれかに記載の発光装置。
【請求項９】
前記光源は点灯時に両面発光することを特徴とする請求項１〜８のいずれかに記載の発光装置。
【請求項１０】
前記光源に色可変光源を用いたことを特徴とする請求項１〜９のいずれかに記載の発光装置。
【請求項１１】
平面状の光源と前記光源の全周囲を覆う透光性を有する導光体とを備え、前記導光体の少なくとも前記光源の出光面に対向する表面が平坦面であるとともに、前記光源と前記導光体の前記平坦面との間にほぼ一定寸法の空隙を備えたことを特徴とする発光装置。
【発明の詳細な説明】
【技術分野】
【０００１】
本発明は、平板状で均一に発光する光源を用いた発光装置に関する。
【背景技術】
【０００２】
従来の導光体発光装置として、光源にＬＥＤを使用し、絵や文字等の凹凸が形成された発光パタンを有する導光板を備え、光源を導光体に嵌め込み、あるいは密着させて取り付けた導光体発光装置がある。
【０００３】
また、有機ＥＬ素子をエッジライト光源に用い、光源とアクリル導光板とを効果的に組み合わせる方式で光漏れの少ない薄型発光装置を得ようとするものがある。
【先行技術文献】
【特許文献】
【０００４】
【特許文献１】特開２０００−１４９６０６号公報
【特許文献２】特開平１０−５０１２４号公報
【発明の概要】
【発明が解決しようとする課題】
【０００５】
従来の光源を導光体に嵌め込み、あるいは密着させて取り付けた発光装置は、構成上、使用者が装置外部から観察した際に光源イメージが視認されやすい課題がある。ここで、光源イメージとは、光源の位置、形状等を指す。
【０００６】
また、有機ＥＬ素子をエッジライト光源に用いた薄型の発光装置は、有機ＥＬ素子の配光角度が大きい、つまり高配光であるため、装置外部から観察した際に導光板へ進まない光が視認され、光源位置が確認されやすい課題がある。また、光源からの光が全て導光板へ入るようにリフレクタ等の導光手段や反射手段を設けると、発光装置の透明性が低下する課題がある。
【０００７】
そこで、上述の課題を解決するため、本発明は、光源の位置、形状が発光時、非発光時ともに視認されづらく、かつ透明性が高い発光装置を得ることを目的とする。
【課題を解決するための手段】
【０００８】
本発明に係る発光装置は、上面に凹部が形成され、透光性を有する下側導光体と、凹部に配置され、上方向に光を均一に照射する平板状の光源と、下側導光体の上面に光源を挟み込むように設けられ、光源の上面との間に間隔を設けて光源と対向する平坦な底面を有し、かつ、透光性を有する上側導光体と、を備える。
【発明の効果】
【０００９】
本発明に係る発光装置によれば、光源の位置、形状が発光時、非発光時ともに視認されづらく、かつ透明性が高いため、不快な輝度むらが無く、意匠性の高い発光装置を得ることができる。
【図面の簡単な説明】
【００１０】
【図１】本発明の実施の形態１に係る発光装置の斜視図である。
【図２】本発明の実施の形態１に係る光源の１例を示す概略断面図である。
【図３】本発明の実施の形態１に係る発光装置の試作装置外観を説明する図である。
【図４】本発明の実施の形態１に係る光源からの光が発光装置中をどのように進むかを示す概略図である。
【図５】本発明の実施の形態１に係る発光装置の変形例を示す斜視図である。
【図６】本発明の実施の形態１に係る発光装置の変形例を示す図である。
【図７】本発明の実施の形態１に係る発光装置の変形例を示す図である。
【図８】本発明の実施の形態２に係る発光装置を示す拡大図である。
【発明を実施するための形態】
【００１１】
実施の形態１．
本実施の形態１に係る発光装置を図１〜図５を用いて説明する。
図１は本発明に係る発光装置の斜視図であり、（ａ）は組み立て前の図、（ｂ）は組み立て後の図を示す。
発光装置１００は、平板状の光源４の上下を、正面視で下側部分が無い略楕円形状の上側導光体１と、上側導光体１の下端とほぼ段差なくつながるような形状の下側導光体５とで挟み込むように組み立てられる。上側導光体１および下側導光体５はそれぞれ透光性を有し、具体的にはアクリルやポリカーボネートなどの透明樹脂材料、あるいは、透明のガラス材料で形成される。
【００１２】
上側導光体１の面の内、光源４と対向する上側底面２は、表面に微細凹凸が無い平坦状に、かつ、鏡面状に研磨等の加工が施されている。また、上側導光体１の上側正面１８ａおよび上側背面１８ｂは平坦面となっており、これらの面を通して上側導光体１の向かい側の領域をはっきり見ることができる。また、略楕円形状に湾曲した上側側面３は微小凹凸の拡散パタンが形成されている。
【００１３】
下側導光体５の下側正面１９ａおよび下側背面１９ｂは上側と同様に平面となっており、また、上側側面３とほぼ段差無くつながるようデザインされた下側側面８も上側と同様に拡散パタンが形成されている。また、光源４を挟んで上側底面２と対向する下側上面は、光源４を配置するための凹部が形成された光源配置面７と、上側底面２と接触して上側導光体１を支持する接触面６を有する。光源配置面７から接触面６までの高さ寸法、つまり光源配置面７から上側底面２までの高さ寸法は、光源４の高さ寸法よりも大きく、光源４の上面から上側底面２までを所定間隔を保ち空気層ができるように構成されている。なお、上側底面２の幅と下側上面の幅は略同一となっている。
【００１４】
次に、光源４について図２を用いて説明する。
図２は、光源４の概略断面図であり、（ａ）は片面発光タイプのもの、（ｂ）は両面発光タイプのものになる。
光源４は平板状で均一に面発光する光源であれば種類は問わないが、例えば薄型軽量を特徴とする平板状の有機ＥＬ素子が用いられる。図４（ａ）に示す片面発光タイプの光源４ａは発光表面となる薄い透明ガラス２０に透明電極２１を設け、透明電極２１と金属電極２３の間に有機発光材料層２２を設けて、周囲を透光性封止材料２４で封止した構成である。この際、有機発光層２２の屈折率がおよそｎ＝１．６〜１．８程度、透明電極２１はおよそｎ＝２．０〜２．２、透明ガラス２０はｎ＝１．４９〜１．８程度であり、光取出しを考慮した発光効率の良好なものでは有機発光層２２に近いｎ＝１．８程度の材料を用いる場合が少なくない。また、図４（ｂ）に示す両面発光タイプの光源４ｂは、有機発光層２２を透明電極２１で挟み、両面に発光表面となる薄い透明ガラス２０を設け、側部を透光性封止材料２４で封止した構成である。
前述のように構成された光源４ａおよび光源４ｂは薄型であり、厚さ数百μｍ〜数ｍｍ程度のものを用いることができる。光源４が薄ければ薄いほど後述するように装置外部から見込んだ光源イメージを無くすことができ、さらに平面光源を配置する光源配置面７をかなり薄い凹部で形成できるため、同様に光源配置部として必要な領域を極力小さくすることができる。
【００１５】
なお、光源４は長期に渡り平面性を維持できるもの（空隙寸法を一定に維持できるもの）であれば、例えば、無機ＥＬ、薄型平面放電灯、ＬＥＤと導光板とを組合せた超薄型面発光源、透光性樹脂材料ベースの有機ＥＬなどを用いてもよい。
【００１６】
次に、本実施の形態に係る発光装置１００を外部から観察した際の見え方について説明する。
図３は実際に製作した発光装置１００の試作品の図であり、（ａ）は下側導光体５の光源配置面７に光源４を設けた図、（ｂ）は（ａ）に上側導光体１を設け、光源４が消灯状態の発光装置１００の図、（ｃ）は、光源４が点灯状態の発光装置１００の図、（ｄ）は上側底面２付近の拡大図である。
図３は上側導光体１および下側導光体５にアクリル材料を用い、光源４にガラスベースの薄型有機ＥＬ光源を用いた発光装置１００の試作装置である。上下導光体を組合せた際の寸法が高さ３１８ｍｍ、幅（直径）３５０ｍｍ、底面から導光体分割位置までの高さ６１ｍｍ、奥行き１００ｍｍであり、平面光源に有機ＥＬ光源（サイズ２８７×７４×２．３ｍｍ、色温度４９００Ｋ、光源中心輝度２７００ｎｉｔ）を用い、空隙（光源との隙間）を０．２ｍｍとしたものである。
実際の装置は、図３（ａ）に示すように、まず下側導光体５の光源配置面７に光源４を配置し、光源４が接触面６よりも下方となり、後に組み立てる上側導光体１の上側底面２との間に確実に間隔を有するように光源４の位置調整をする。この際光源４を光源配置面７に接着して固定してもよい。なお、光源４には家庭用コンセントなどの外部電源からの電力供給を受けるための図示しない差込プラグを有する電源線１６が接続されており、下側導光体５には電源線１６用の溝が設けられている。
【００１７】
その後、図３（ｂ）に示すように下側導光体５の接触面６上に上側導光体１を設けて発光装置１００を組み立てる。この際接触面６と、接触面６と対向する上側底面２とを接着して固定してもよい。その後光源４を点灯させると、図３（ｃ）や図３（ｄ）のように上側底面２の下方に光源４が存在する様子は全く認められない。さらに、光源イメージの無い状態で上側側面および下側側面からほぼ一様に光を放つため、照明空間の演出性に優れたこれまでにない特徴的な外観や照明機能を有する。
【００１８】
なお接触面６は平坦面でもよいが、微小凹凸（図３では細かいシボ）を付加することで、その表面で乱反射する光が、平面光源と導光体入光面との間の空隙で乱放射される光の状態を質的にほぼ等しくできる。そのため、外部から発光装置１００を見た際に、図３の（ａ）〜（ｃ）のように接触面６および光源配置面７の存在がより視認しづらくなる。
【００１９】
次に、図３にて光源４が見えない理由として、発光装置１００の中を進む光の観点から説明する。
図４は、光源からの光が発光装置中をどのように進むかを示す概略図であり、（ａ）は発光装置の正面断面図、（ｂ）は側面断面図、（ｃ）は光源と上側底面との間に間隔が無い場合の拡大断面図、（ｄ）は光源と上側底面との間に間隔を有する場合の拡大断面図を示す。
【００２０】
図４（ａ）は、光源４から発せられ、上側導光体１および下側導光体５を進む光線の例Ａ１〜Ａ３を示した図である。また、図４（ｂ）は、側面視で光源４から発せられ、上側導光体１および下側導光体５を進む光線の例Ａ４を示した図である。
まず、光源４から発せられる光の例として、光線Ａ１のように上側側面３から外に出る光がある。
この際、上側導光体１の上側正面１８ａおよび上側背面１８ｂは平坦な面となっている。これにより光源４から発せられた光は光線Ａ４に示すように上側正面１８ａおよび上側背面１８ｂで、大半が全反射しながら装置上方に進みつつ、上側側面３に入射した光は上側側面３に形成された、微小シボやディンプル、半透光性の塗料印刷などによる微小凹凸の拡散パタン１７の条件に依存する。つまり、側面形状（正反射や凹凸パタン面での透過反射など）に従い反射し導光体内を進行し、一部の光は導光体外部に発光する。
【００２１】
一方で光線Ａ２に示すように、上側側面３の微小凹凸状の拡散パタン１７により光が内部反射し、再び上側導光体１内を通過した後下側導光体５へ進む光もある。ここで、下側導光体５の下側正面１９ａおよび下側背面１９ｂも上側正面１８ａおよび上側背面１８ｂ平坦な面となっているため、大半が全反射しながら装置下方に進むこととなる。さらに、下側導光体５の内部を進み、下側側面８に形成された微小凹凸の拡散パタン１７で散乱し外部に放射される光線Ａ３のような光もある。
なお、上側底面２の幅と下側上面の幅は略同一となっているため、上側導光体１内を通過した後下側導光体５へ進む光が上側底面２から漏れることは無い。
【００２２】
次に、図４（ｃ）および（ｄ）を用いて、光源４と上側底面２との間の間隔がある場合と無い場合の光の進み方の違いを説明する。
【００２３】
光源４と上側底面２との間隔がない場合は、図４（ｃ）に示すように光源４と上側導光体１とが接触しているため、上側導光体１と光源４との屈折率の違いに応じスネルの法則に従って光線が媒質中を進む（光線Ｂ）。ここで、光源４に用いた有機ＥＬの透明ガラス２０の屈折率（発光部表面ガラスが高屈折率ガラス（ｎ１＝１．８）の場合）と上側導光体１を形成するアクリル材料（屈折率がｎ２＝１．４９の場合）との屈折率差を考慮すると、入射光が境界面を通過せず、すべて反射する全反射の現象が起きる角度である全反射角度θａは５５．９°になる。全反射角度θａ以上の角度で入射した光は光線Ｃに示すように、上側導光体１に進むことなく上側導光体１と光源４との境界面である上側底面２で反射される。しかし光源４と上側導光体１とが接触している場合は全反射角度θａが大きく、つまり大半の光が上側導光体１へ進むため、外部から発光装置１００を観察した際には光源４が視認されやすくなる。
また、透明ガラス２０に屈折率ｎ＝１．４９程度の汎用ガラスを用いた場合は、全反射は起こらずに全光線が上側導光体１を通して進むため、外部から発光装置１００を観察した際はさらに光源４が視認されやすくなる。
【００２４】
一方、光源４と上側底面２との間に空隙（空気層ｎ０）がある場合には屈折率の関係はｎ１＞ｎ０となるため、例えばｎ０＝１．０、ｎ１＝１．８とした場合には全反射角度θｂは３３．７°（ｎ０＝１．０、ｎ１＝１．４９の場合はθｂ＝４２．２°）になり、それ以上の角度で入射した光は上側底面２で反射され、（光線Ｆ）それ以下の入射角度の光線は上側導光体１を進む（光線Ｅ）。すなわち図４（ｄ）は図４（ｃ）の構成に比較して、直接上側導光体１に入射させる光強度を低く抑えることができる。そのため、装置外側から光源４が配置されている光源配置面７を見込んだ場合には、直接上側導光体１に入射する光が弱められているため、光源４の形状や位置などの光源イメージが強く視認されることがない。これにより、輝度むら含め光源イメージが見えない、あるいは、導光体の中にある光源４の存在を意識させない意匠的に風変わりな発光装置１００を得ることができる。なお、光源４に用いる有機ＥＬの透明ガラス２０を発光材料層と同程度、あるいはそれ以上の屈折率（ｎ＞１．７）とした場合について説明したが、屈折率の条件を満たせばガラス以外の硬性透光性材料でも良い。
【００２５】
以上のように光の屈折・反射を利用する構成により、光源４を挟み上側側面３と下側側面８とから同時に発光させることができる。なお、図２（ｂ）に示したような両面発光型の光源４ｂを用いることで、直接光源４ｂから下側導光体５へ直接光を入射させることも可能である。なお、図４（ｂ）にて説明したように上側導光体１に入射した光は、基本的には上側導光体１の上側底面２及び上側側面３以外の面、つまり上側正面１８ａおよび上側背面１８ｂで全反射して上方へ進む成分が多く、一方、外部からその広い面を見込んだ際にはその領域からは僅かな発光があるものの、基本的には発光量が少なく、外部から上側正面１８ａを眺めた場合には透明で、対向する上側背面１８ｂの後ろの空間を見ることができる。したがって観察者には空間に対する奥行感を保たせながら、主な出光面である上側側面３および下側側面８からの発光でその周囲を演出的に照明することができる。
【００２６】
なお、表面拡散パタン１７は必ずしも側面全体に一様に施す必要はなく、所望する演出照明次第では例えば細かい千鳥状、あるいは離散的に配置するなどしてよい。この際、パタンを設けていない領域は平面になり、平面域に入射した光は正反射を生じやすく、導光体内部で正反射を繰り返して進み、下側導光体に入射し、下側導光体からの発光に寄与する成分を多くすることもできる。なお導光体表面に一切、拡散パタンが無い場合にも導光体と空気界面との屈折作用により発する光があり、発光光束自体は低いものの柔らかい光を放つ装置とすることができる。
【００２７】
また、光源４が消灯時においても、上側導光体１の材質は透光性を有し、空気よりも屈折率が高く、また、上側底面２は凹凸の無い平坦な面であるため、外部照明光や太陽光などが発光装置１００内を通過しても、上述の上側導光体１から装置外部（空気層）へ進む光や透明ガラス２０から空気層へ進む光と同様に、上側底面２にて全反射が起こりやすくなる。そのため、光源４が消灯時の発光装置１００を外部、特に光源４配置位置よりも上方から観察した場合でも、内部に収容されている光源４を見ることはできない。
なお、上側底面２に凹凸があると、上側底面２で全反射して外へ出られなかった光は様々な方向に乱反射されるため、光源４は視認されやすくなる。そのため光源４は上側導光体１に凹部を設けて配置されずに、下側導光体３に凹部を設けて配置される。また、上側底面２は肉眼では平坦であるように見えても実際は微細な凹凸がある場合もあるため、より一層平坦にして全反射を起こしやすくするために鏡面状に加工すると良い。
【００２８】
以上のように本実施の形態に係る発光装置１００は、平板状で均一に発光する光源４と、光源４の周囲を覆う透光性を有し、空気よりも屈折率の高い材質で形成された上側導光体１および下側導光体３を備え、光源４からの光が入る入光面に相当する上側底面２が凹凸の無い平坦な面であるとともに、光源４と上側底面２との間にほぼ一定寸法の空気層ができるように光源４を上側底面２と間隔を有して配置して、空気層により光路に屈折率差を生じさせることで、光源４から発する光のうち、上側底面２で反射させる光の比率を高くさせ、発光装置１００の外観を観察した際に光源４の位置や形状を視認させづらくすることができる。また、上側底面２が凹凸の無い平坦な面であるため、光源４が消灯時においても光源４の位置や形状を視認させづらくすることができる。光源４の位置、形状が発光時、非発光時ともに視認されづらく、かつ透明性が高いため、不快な輝度むらが無く、意匠性の高い発光装置１００を得ることができる。
また、上側側面３および下側側面８に付加する拡散パタン１７のパタン密度を位置的に調整することで、光源部周辺の輝度均一化を図ることができ、さらに意匠性を良好にすることができる。
【００２９】
また、下側導光体５は上面の一部が光源４を配置する凹部が形成された光源配置面７であり、上側導光体１は光源４と間隔を有し対向する凹凸の無い平面状の上側底面２を有し、上側導光体１の上側底面２と下側導光体５の接触面６とを接触させて光源４を挟み込む構成とすることで、光源４の着脱性がよく、光源４の交換やメンテナンスが簡便な発光装置１００を得ることができる。さらに上側底面２を平坦にするための加工性が向上する。なお、この場合は上側導光体１および下側導光体３を一体に形成しても良い。
【００３０】
また下側導光体の接触面６の短辺側の一端を、光源配置面７と同平面としても良く、これにより光源４のスライド着脱が可能となる。光源４の交換が容易になることで、例えば使用者によって光色の異なる複数の光源４を簡単に差し替え装着することができ、照明空間の色温度などを自在に変更することが可能となる。
【００３１】
また、本実施の形態１で示したように、薄型で均一発光する光源４として薄さや良好な発光効率を特徴とする有機ＥＬ光源を用いることで、光源４の存在を意識させない、つまり発光時、非発光時ともに光源４の位置や形状などの光源イメージを視認させづらくすることができる。上述したように有機ＥＬとしてはフレキシブル状（柔軟材料）のものでも構わないが、安定した光源平面性を維持するには従来のガラスなどの硬性材料をベース基板とするもが好ましい。
【００３２】
また、上側底面２の幅と下側上面の幅が略同一となっているため、上側導光体１内を通過した後下側導光体５へ進む光が上側底面２から漏れること無く下側導光体１へ進むため、光源４の発光面より下方の導光体からも光が出射される。また、上側底面２が発光することで光源イメージを視認させやすくすることが無い。
【００３３】
また、上側導光体１の上側側面３を湾曲形状にしたことで、端部に大きな鋭角部がなく、光損失が少なくすることができるため、より多くの光を照明光として用いることができる。また、上側側面３および下側側面８から出る光の輝度も輝度むらも少なくほぼ一様のものとすることができる。
【００３４】
また、光源４として、消灯時に透光性を保ち、点灯時のみある色光で両面発光する光源４を用いることで、消灯時、点灯時問わず光源イメージを視認させづらい発光装置１００を得ることができる。例えば図２（ｂ）に示した両面発光タイプの光源４ｂを用いることで、発光時には上下全方向に光が放射されるため、装置の主発光面の輝度の高い発光装置１００を得ることができる。
【００３５】
また、光源４と下側導光体３との間の空隙層の有無は、本装置を下側導光体３の方向から観察することが無ければ、光源イメージの認識度合いに対する影響はさほど大きくない。とくに下側導光体３を強く発光させたい場合には、平面光源表面と下側導光体表面とを密着させるように構成するとよく、それらと同等レベルの屈折率を持つ樹脂層を介在させてもよい。
【００３６】
また、光源４を例えば複数発光層を調光して色合いを作るようなタイプの有機ＥＬ色可変光源で構成することで、たとえば周囲環境に合わせた光源イメージレスでありながら時間的調色変化を可能とする装置を実現することができる。
【００３７】
次に、本実施の形態１に係る発光装置の変形例について図５〜図７を用いて説明する。
図５は発光装置１００の変形例を示す斜視図である。
なお、発光装置１００やそれに組み込む光源４は必ずしも実施の形態１中に図示した形状である必要がなく、例えば図５に示すように光源４を正方形状、あるいは円板状のものとし、光源４を配置する下側導光体３及び上側導光体１を組み合わせた形を球形にしても良い。これにより、発光装置１００をアクセサリや電球の代わりとしても使用することができる。なおこれ以外にも導光体の形を楕円形、円筒などとしてもよいことは言うまでも無い。さらにそれら形状の導光体上に所望の発光パタンを与えるように拡散パタン１７（シルクドット印刷、凹凸加工など）を備え持たせてもよい。
【００３８】
図６は照明装置１００を壁面設置のブラケットとして用いる場合の概要図であり、（ａ）は照明装置１００を設置した照明空間の概要図、（ｂ）は上側側面３を平面にした斜視図、（ｃ）は上側側面３を湾曲面にした斜視図、（ｄ）は壁面上に下側導光体５を配置した場合の断面図、（ｅ）は下側導光体５の一部を設置面１５裏側に配置した場合の断面図である。
なお、本実施の形態１に係る発光装置１００により、外部からは光源イメージ（光源形状や光源位置）が見えず、全体に柔らかな光を発する風変わりな発光装置を得ることができる。そのため、これまでにない照明空間を演出することができるが、本装置の用途（設置空間）は特に限定されるものではない。例えば図６に示すように照明装置１００を室内に設置し、ブラケットのように使用しても良い。この際、上側側面３の形状は図６（ｂ）に示す平面や図６（ｃ）に示す湾曲面で形成され、いずれの場合にも直接光源イメージを見せることなく、むしろ光源４の存在を意識させない鏡面状に見せる効果を備え持つ。また、設置する設置面１５の状態により、図６（ｄ）のように壁面上に設置してもよく、図６（ｅ）のように下側導光体５の一部を設置面１５内に埋設して設置しても良い。なお、導光体の上下は光源４の発光面に対しての上下で示している。
【００３９】
図７は照明装置１００をアプローチ灯として用いる場合の概要図であり、（ａ）は照明装置１００を設置した空間の概要図、（ｂ）は照明装置１００の構成を示す断面図である。
また、本実施の形態１に係る発光装置１００の用途の例として、図７（ｂ）に示すように上側導光体１と下側導光体５の組を２組備え、それぞれに光源４を設けアプローチ灯とし、図７（ａ）のように屋内あるいは屋外の通路を演出する照明に用いても良い。この際、１組目の下側導光体５と２組目の上側導光体１との間に特有の発光状態を作り出すことを目的とした空洞（空気層）を構成する内部意匠面１４を形成することで、下側の光源４からの光と上側の光源４からの光が反射、あるいは、透過する界面となり、光源イメージレスでありながら、空間演出に優れた特徴的な配光や輝度分布を与えることができる（図中Ｇ１、Ｇ２は内部意匠面で屈折して進む光線例）。
【００４０】
実施の形態２．
本発明の実施の形態２に係る発光装置について図８を用いて説明する。なお、実施の形態１と同様の箇所については同一の符号を付しその説明を省略する。
図８は本発明の実施の形態２に係る発光装置１００ｂの概略図である。
透光性パタン１１は、上側導光体１と平面光源４との間に設けた僅かな空隙に、それら空隙を埋めるように上側導光体１あるいは光源４上に配置される。透光性パタン１１は例えば印刷等により構成され、透光性で、ある特定の意匠パタンを有し、光源４の表面媒質の屈折率より大きい屈折率材料からなる凸部を有する。このように透光性パタン１１を構成することで、透光性パタン１１の凸部を通して上側導光体１側により強く光を通すことができ、発光装置１００ｂ外側から見ると凸パタンが浮き出て見えることになる。したがってこの凸部で文字や意匠パタンを形成することで、意匠パタンとしてそれらを浮き上がらせることが可能になる。図６右下の点線内で示したのは凸パタンの集合体で文字「Ａ」を構成した場合に、光源４からの光が入光する上側底面２を外部から見込んだ際に知覚される発光イメージである。
【００４１】
以上のように、本実施の形態２では、実施の形態１で得られる効果に加え、上側導光体１と光源４との間に設けた僅かな空隙に、それら空隙を埋める、ある特定意匠を有する透光性パタン１１を上側導光体１あるいは光源４上に備えることで、光源点灯時に透光性パタン１１の発光強度を保つことができる。このため、外部から光源４を覗き込んだ際に、実際の光源イメージは見えないものの特定の意匠（文字、模様など）を視認可能な装置を得ることができる。
【符号の説明】
【００４２】
１  上側導光体  ２  上側底面  ３  上側側面  ４  平面光源  ５  下側導光体  ６  接触面  ７  光源配置面  ８  下側側面  １０  高屈折率層  １１  透光性パタン  １４  内部意匠  １５  設置面  １６  電源線  １７  拡散パタン  １８ａ  上側正面  １８ｂ  上側背面  １９ａ  下側正面  １９ｂ  下側背面  ２０透明ガラス  ２１透明電極  ２２有機発光層  ２３金属電極  ２４封止材料  １００  発光装置
【図１】
0005621831.tif 000002
【図２】
0005621831.tif 000003
【図３】
0005621831.tif 000004
【図４】
0005621831.tif 000005
【図５】
0005621831.tif 000006
【図６】
0005621831.tif 000007
【図７】
0005621831.tif 000008
【図８】
0005621831.tif 000009